(57)【要約】【課題】  輝度を高めるとともにコストを低減する。【解決手段】  ＥＬ表示パネル１２において、各走査電極１４（１）、１４（２）、…は、マトリクス状に配置されたＥＬ素子１６のうち、連続した３行に存するＥＬ素子１６を同時に駆動するように形成されている。同時に駆動されるＥＬ素子１６は、それぞれ異なるデータ電極１５に接続されている。各データ電極１５は、ＥＬ素子１６のマトリクス状の配設位置に合わせて形成された四角形状の素子形成部１５ａと、相異なる走査電極１４により駆動されるＥＬ素子１６の素子形成部１５ａ同士を順次接続する線状の接続部１５ｂとから構成されている。【選択図】  図１
2005275263.tif 000002
【特許請求の範囲】
【請求項１】
ＥＬ発光層の一面側に複数の走査電極が設けられ、他面側に複数のデータ電極が設けられ、これら走査電極とデータ電極とが重なり合う位置にＥＬ素子が形成されたドットマトリクス型のＥＬ表示パネルを備え、前記走査電極、前記データ電極にそれぞれ走査電圧、データ電圧を印加することにより前記ＥＬ素子を選択的に発光させるように構成したＥＬ表示装置において、
各走査電極は、連続した複数行のＥＬ素子を同時に駆動可能に形成され、
同じ走査電極により駆動されるＥＬ素子は、それぞれ異なるデータ電極に接続されていることを特徴とするＥＬ表示装置。
【請求項２】
前記各走査電極は、連続した複数行に存する全てのＥＬ素子を含んだ電極により構成され、
前記各データ電極は、前記ＥＬ素子の配設位置に合わせて形成された素子形成部と、相異なる走査電極により駆動されるＥＬ素子の素子形成部同士を順次接続する接続部とから構成され、
前記走査電極と前記データ電極の素子形成部とが重なり合う位置にＥＬ発光層が形成されていることを特徴とする請求項１記載のＥＬ表示装置。
【請求項３】
前記データ電極の接続部は、一つの走査電極により駆動される一群のＥＬ素子と該走査電極に隣接する走査電極により駆動される一群のＥＬ素子との境界線を対称軸として、対称配置の関係にあるＥＬ素子に対応した前記データ電極の素子形成部同士を接続するように形成されていることを特徴とする請求項２記載のＥＬ表示装置。
【請求項４】
前記データ電極は、所定の輝度を確保するのに十分な膜厚を有する透明導電膜により構成されていることを特徴とする請求項１ないし３の何れかに記載のＥＬ表示装置。
【請求項５】
前記データ電極は、金属膜によりまたは金属膜と透明導電膜とにより構成されていることを特徴とする請求項１ないし３の何れかに記載のＥＬ表示装置。
【請求項６】
前記データ電極は、前記ＥＬ表示パネルの一辺から取り出されるように形成されていることを特徴とする請求項１ないし５の何れかに記載のＥＬ表示装置。
【請求項７】
各走査電極は、連続した２行のＥＬ素子または連続した３行のＥＬ素子を同時に駆動可能に形成されていることを特徴とする請求項１ないし６の何れかに記載のＥＬ表示装置。
【発明の詳細な説明】
【技術分野】
【０００１】
本発明は、ＥＬ発光層の一面側に複数の走査電極が設けられ、他面側に複数のデータ電極が設けられ、これら走査電極とデータ電極とが重なり合う位置にＥＬ素子が形成されたドットマトリクス型のＥＬ表示パネルを備えたＥＬ表示装置に関する。
【背景技術】
【０００２】
図５は、従来のＥＬ表示装置の概略的な電気的構成を示している。ＥＬ表示装置１は、ＥＬ表示パネル２と駆動装置３とから構成されている。ドットマトリクス型のＥＬ表示パネル２では、一般にその表示画素数に応じて縦横の画素数の少ない方（通常は縦：行）が走査電極４、多い方（通常は横：列）がデータ電極５とされており、これら走査電極４とデータ電極５との交差位置にＥＬ素子６が形成されている。図５では、ＥＬ表示パネル２のうち１２×４の画素部分のみを示しているが、実際にはさらに多くの画素例えば６００×８００の画素が形成されている。
【０００３】
駆動装置３は、走査電極４を駆動する走査側ドライバＩＣ７、データ電極５を駆動するデータ側ドライバＩＣ８等から構成されている。汎用的に用いられる走査側ドライバＩＣ７およびデータ側ドライバＩＣ８は、予め決められた数（出力チャンネル数）の駆動回路を内蔵しており、走査電極４の数と走査側ドライバＩＣ７の出力チャンネル数（＝駆動回路数）とにより走査側ドライバＩＣ７の使用数が決まり、データ電極５の数とデータ側ドライバＩＣ８の出力チャンネル数とによりデータ側ドライバＩＣ８の使用数が決まる。
【０００４】
例えば、ＥＬ表示パネルの画素数が６００×８００、走査側ドライバＩＣ７、データ側ドライバＩＣ８の出力チャンネル数がそれぞれ６０チャンネル、１６０チャンネルの場合、走査側ドライバＩＣ７が１０個、データ側ドライバＩＣ８が５個必要になる。しかしながら、走査側ドライバＩＣ７はデータ側ドライバＩＣ８と比較して高耐圧が必要であるため、走査側ドライバＩＣ７の使用個数が増えるとその分だけ駆動装置３ひいてはＥＬ表示装置１のコストが高くなる。さらに、ＥＬ表示パネル２の高精細化が進む中、走査電極数の増加が１画面の走査速度（駆動周波数）の低下を招き、輝度が低下するという問題も生じている。
【０００５】
こうした問題を解決する手段として、特許文献１に示された表示装置がある。この表示装置は、いわゆる上下分割駆動方式（デュアルスキャン方式）と称されるもので、表示パネルのデータ電極を上下に分割した構造にし、上下独立にデータドライバを設けることにより、１画面の走査速度（駆動周波数）を従来の半分にするものである。当該文献では、上下それぞれの走査電極を対にすることにより、必要となる走査側ドライバＩＣの数を半減している。
【特許文献１】特開昭６１−２５２５８２号公報
【発明の開示】
【発明が解決しようとする課題】
【０００６】
しかしながら、上記文献記載の表示装置において、ＥＬ表示パネルの上半面と下半面のパネル成膜に膜厚むらが生じると、上下それぞれのデータドライバの負荷（容量成分）が異なったものとなり、上半面と下半面との間に輝度差が生じる。この輝度差は、たとえ僅かであっても、パネル面内で上下並んで表示されるので使用者に顕著な輝度差として視認されてしまう。さらに、上記文献記載の表示装置では、画面走査速度の向上および走査側ドライバＩＣの使用個数削減効果は２倍が限界となる。
【０００７】
本発明は上記事情に鑑みてなされたもので、その目的は、輝度を高めることができ、且つ、コストを低減することができるＥＬ表示装置を提供することにある。
【課題を解決するための手段】
【０００８】
請求項１に記載した手段によれば、走査電極のそれぞれが、連続した複数行（Ｎ行：Ｎ≧２）のＥＬ素子（画素）を同時に駆動する。異なる走査電極が駆動する行は互いに異なっている。同じ走査電極により同時に駆動されるＥＬ素子は、それぞれ異なるデータ電極に接続されているので、各ＥＬ素子ごとに独立した発光が可能となる。換言すれば、縦方向に列をなして並ぶＥＬ素子（画素）を、Ｎ個の連続するＥＬ素子からなる画素グループに分け、同一の画素グループに属するＥＬ素子は互いに異なるデータ電極に接続されている。異なる画素グループに属する各ＥＬ素子同士は、典型的には、それぞれ対応するデータ電極に接続されている。
【０００９】
ＥＬ表示パネルの画素の行数をｎ、列数をｍとすれば、走査電極数すなわち走査電極を駆動する際に必要となる走査側駆動回路のチャンネル数はｎ／Ｎ（余りが生じる場合にはｎ／Ｎ＋１）となり、従来必要とされていた走査電極数（＝走査側駆動回路のチャンネル数）ｎの１／Ｎになる。本手段によれば走査電極数が１／Ｎになるので、１画面の走査速度（駆動周波数、走査周波数）ひいては輝度を高めることができる。また、耐圧が高くコストの高い走査側駆動回路のチャンネル数が１／Ｎになるので、走査側駆動回路を複数チャンネル内蔵した走査側ドライバＩＣの使用数を減らすことができ、ＥＬ表示装置のコストを低減することができる。さらに、設計する上で、ドライバＩＣの使用個数の自由度が高まる。
【００１０】
請求項２に記載した手段によれば、走査電極は、連続した複数行に存する全てのＥＬ素子を含むように形成されている。そして、マトリクス状に配置される各ＥＬ素子の位置・形状に対応して、データ電極の素子形成部とＥＬ発光層とが形成されている。このように走査電極とデータ電極の素子形成部とが重なり合う位置にＥＬ発光層を設ける（パターニングする）ことにより、データ電極の接続部での発光を防止することができる。データ電極のうち、相異なる走査電極により駆動されるＥＬ素子の素子形成部同士を順次接続する部分は、接続部として形成されている。
【００１１】
請求項３に記載した手段によれば、データ電極の接続部は、一つの走査電極により駆動される一群のＥＬ素子と該走査電極に隣接する走査電極により駆動される一群のＥＬ素子との境界線を対称軸として、対称配置（すなわちミラー反転配置）の関係にあるＥＬ素子に対応したデータ電極の素子形成部同士を接続している。これにより、データ電極を交差しないように平面的に形成することができる。
【００１２】
請求項４に記載した手段によれば、データ電極のうち配線幅が小さくなる部分（例えば接続部）の高抵抗化を防ぐために、十分な膜厚を有する透明導電膜によりデータ電極を構成するので、所望する輝度を確保することができる。
【００１３】
請求項５に記載した手段によれば、データ電極は、金属膜によりまたは金属膜と透明導電膜とにより構成されているので、透明導電膜のみを用いた場合と比較して抵抗を下げることができ、より高い輝度を得ることができる。
【００１４】
請求項６に記載した手段によれば、ＥＬ表示パネルの一辺からデータ電極を取り出すことができるので、ＥＬ表示パネルの額縁面積を低減でき、その分だけＥＬ表示パネルの大きさを縮小することができる。
【００１５】
請求項７に記載した手段によれば、走査電極による同時駆動行数Ｎを２または３に設定することにより、特に大きな輝度向上効果とコスト低減効果とを得られる。すなわち、上述した同時駆動行数Ｎを大きくすると、走査側駆動回路が駆動すべき容量も増加するため、１画面の走査速度を高めても輝度の増加が図れない限界点が存在する。また、同時駆動行数Ｎを大きくすると、走査側駆動回路のチャンネル数が１／Ｎ倍になる一方でデータ側駆動回路のチャンネル数がＮ倍になるので、同時駆動行数Ｎに対するＥＬ表示装置のコストの極小点が存在する。これらを考慮すると、通常よく用いられる画素数（一例として６００×８００）および通常よく用いられる走査側ドライバＩＣ、データ側ドライバＩＣのチャンネル数（一例として６０チャンネル、１６０チャンネル）の場合、Ｎ＝２またはＮ＝３程度が最も効果的となる。
【発明を実施するための最良の形態】
【００１６】
以下、本発明に係るＥＬ表示装置をドットマトリクス型の無機ＥＬディスプレイ装置に適用した一実施形態について図１ないし図４を参照しながら説明する。
図１は、ＥＬ表示パネルにおける走査電極とデータ電極の平面的な配置構造を示すとともに、ＥＬ表示装置の概略的な電気的構成を示している。ＥＬ表示装置１１は、ＥＬ表示パネル１２と駆動装置１３とから構成されており、ＥＬ表示パネル１２には行をなし横方向に延びる複数の走査電極１４と、列をなし縦方向に延びる複数のデータ電極１５とが形成されている。以下の説明において、各走査電極１４を区別する必要がある場合には符号１４（１）、１４（２）、１４（３）、１４（４）を使用し、各データ電極１５を区別する必要がある場合には符号１５（１）、１５（２）、…、１５（１２）を使用する。
【００１７】
走査電極１４とデータ電極１５（正確には後述する素子形成部１５ａ）とが重なり合う位置には、画素となるＥＬ素子１６が形成されている。実際のＥＬ表示パネル１２には、図１に示すものよりも多い電極例えば２００本の走査電極１４と２４００本のデータ電極１５が形成されており、この場合６００×８００の画素を持つ表示パネルが得られる。なお、図１に示す平面図では、ＥＬ素子１６と素子形成部１５ａとが重なって見えるため、画素形成位置に２つの符号１５ａと１６を付している。
【００１８】
図４は、図１におけるＥＬ表示パネル１２のＡ−Ａ断面を模式的に示す図である。ＥＬ素子１６は、絶縁性基板であるガラス基板１７に走査電極１４（第１電極）、第１絶縁層１８、発光層１９、第２絶縁層２０、データ電極１５（第２電極）、カバーガラス２１を順次積層して構成されている。図４に示したデータ電極１５は素子形成部１５ａであって、接続部１５ｂは省略されている。実際のＥＬ表示パネル１２では、走査電極１４、第１絶縁層１８、発光層１９、第２絶縁層２０、データ電極１５は、ガラス基板１７、カバーガラス２１に対して極めて薄いものである。
【００１９】
走査電極１４、第１絶縁層１８、第２絶縁層２０、データ電極１５の内、少なくとも光取出し側（表示側：通常はカバーガラス側）は透光性を有する材料によって構成されている。本実施形態において、第１絶縁層１８と第２絶縁層２０は、Ａｌ2Ｏ3層と酸化チタンＴｉＯ2層とを交互に積層したＡｌ2Ｏ3／ＴｉＯ2積層構造膜（ＡＴＯ膜）により構成されており、走査電極１４とデータ電極１５は、透明導電膜例えばＩＴＯ(Indium Tin Oxide)膜により構成されている。
【００２０】
図１に示すように、走査電極１４は、マトリクス状に配置されたＥＬ素子１６に対し各行ごとに１つずつ設けられるのではなく、連続する３行ごとに１つずつ設けられている（同時駆動行数Ｎ＝３）。すなわち、走査電極１４（１）は、第１行から第３行までに存在する１２個（６００×８００の画素であれば２４００個）のＥＬ素子１６を全て含むように横長の矩形状に形成されており、その走査電極１４（１）に隣接して、別の走査電極１４（２）が、第４行から第６行までに存在する１２個（６００×８００の画素であれば２４００個）のＥＬ素子１６を全て含むように横長の矩形状に形成されている。その他の走査電極１４（３）、１４（４）についても同様である。
【００２１】
このような構成では、１つの走査電極１４により３行分のＥＬ素子１６が同時に駆動される。この場合、同時に駆動される各ＥＬ素子１６ごとに独立した発光が可能となるように、各ＥＬ素子１６は、それぞれ異なるデータ電極１５に接続されている。そして、走査電極１４により駆動されるＥＬ素子１６は、それぞれデータ電極１５を介して、他の走査電極１４により駆動されるＥＬ素子１６と接続されている。つまり、１つの列をなすＥＬ素子１６を駆動するためには、３つ（＝Ｎ）のデータ電極１５が必要となる。
【００２２】
各データ電極１５は、ＥＬ素子１６のマトリクス状の配設位置に合わせて形成された四角形状の素子形成部１５ａと、相異なる走査電極１４により駆動されるＥＬ素子１６の素子形成部１５ａ同士を順次縦方向に接続する線状の接続部１５ｂとから構成されている。従来のＥＬ表示パネル２のような縦方向に一定幅で直線状に延びるデータ電極５（図５参照）とは異なる。
【００２３】
接続部１５ｂ同士が交差しないように、接続部１５ｂは、一つの走査電極１４（例えば１４（１））により駆動される一群のＥＬ素子１６と該走査電極１４に隣接する走査電極１４（例えば１４（２））により駆動される一群のＥＬ素子１６との境界線を対称軸として、対称配置（すなわちミラー反転配置）の関係にあるＥＬ素子１６に対応した素子形成部１５ａ同士を接続するように形成されている。図１においては、各列について、１行目、６行目、７行目、１２行目のＥＬ素子１６、２行目、５行目、８行目、１１行目のＥＬ素子１６、３行目、４行目、９行目、１０行目のＥＬ素子１６が、それぞれ同じデータ電極１５により駆動されるようになっている。
【００２４】
従来のＥＬ表示装置１（図５参照）の場合には、発光層は、ＥＬ表示パネル２の面全体に亘って形成されていた。しかし、本実施形態のＥＬ表示装置１１では、ＥＬ素子１６の形成位置以外にも走査電極１４とデータ電極１５（接続部１５ｂ）とが重なり合う部分が存在するため、パネル面全体に発光層１９を設けると、当該重なり部分で発光してしまう。そこで、パターニングにより、走査電極１４とデータ電極１５の素子形成部１５ａとが重なり合う位置にのみ発光層１９を設けている。これにより、マトリクス状に配置された画素部分以外での発光を防止することができる。
【００２５】
ただし、走査電極１４とデータ電極１５（接続部１５ｂ）とが重なり合う部分に発光層１９が存在しないと、両電極間の電圧は全て第１絶縁層１８と第２絶縁層２０に印加される。従って、この点を考慮した膜設計をする必要がある。また、データ電極１５の接続部１５ｂは、配線幅が小さくなり抵抗が高くなるため、輝度の低下を考慮しつつＩＴＯ膜の膜圧を決定することが好ましい。
【００２６】
図１において、各走査電極１４は、ＥＬ表示パネル１２の左端からＦＰＣ(Flexible Printed Circuit)を介して、基板（図示せず）上に搭載された走査側ドライバＩＣ２２の出力端子に接続されている。図２は、４つの駆動回路を内蔵した走査側ドライバＩＣ２２および走査電圧供給回路２８、２９の電気的構成を示している。実際には、より多く（例えば６０チャンネル)の駆動回路を備えた走査側ドライバＩＣが用いられている。
【００２７】
図２に示すように、走査側ドライバＩＣ２２に内蔵された各駆動回路は、走査電極１４に接続されたＰチャンネル型ＦＥＴ２３とＮチャンネル型ＦＥＴ２４とからなるプッシュプル回路であって、制御回路２５からの駆動信号に従って各走査電極１４に走査電圧を印加するようになっている。ＦＥＴ２３、２４には、それぞれ図示極性のダイオード２６、２７が接続されている。
【００２８】
走査電圧供給回路２８、２９は、走査側ドライバＩＣ２２に走査電圧を供給するものである。走査電圧供給回路２８は、スイッチング素子３０、３１を備えており、そのオンオフ状態に応じて、走査側ドライバＩＣ２２の正電圧電源線Ｌ１に対し、書き込み電圧Ｖｒまたは接地電圧０Ｖを供給するようになっている。一方、走査電圧供給回路２９は、スイッチング素子３２、３３を有し、そのオンオフ状態に応じて、走査側ドライバＩＣ２２の負電圧電源線Ｌ２に対し、電圧（−Ｖｒ＋Ｖｍ）またはオフセット電圧（Ｖｍ）を供給するようになっている。
【００２９】
一方、図１において、各データ電極１５は、ＥＬ表示パネル１２の上側からＦＰＣを介して、基板（図示せず）上に搭載されたデータ側ドライバＩＣ３４の出力端子に接続されている。図３は、４つの駆動回路を内蔵したデータ側ドライバＩＣの電気的構成を示している。実際には、より多く（例えば１６０チャンネル)の駆動回路を備えたデータ側ドライバＩＣが用いられている。
【００３０】
図３に示すように、データ側ドライバＩＣ３４に内蔵された各駆動回路も、データ電極１５に接続されたＰチャンネル型ＦＥＴ３５とＮチャンネル型ＦＥＴ３６とからなるプッシュプル回路であって、制御回路３７からの駆動信号に従って各データ電極１５にデータ電圧を印加するようになっている。ＦＥＴ３５、３６には、それぞれ図示極性のダイオード３８、３９が接続されている。ＦＥＴ３５のソース側共通線には直流電圧（変調電圧）Ｖｍが供給され、ＦＥＴ３６のソース側共通線には接地電圧０Ｖが供給されている。
【００３１】
次に、本実施形態の作用について説明する。
まず、正フィールドの駆動方法について説明する。正フィールド駆動の期間中、スイッチング素子３０、３３をオン状態とし、スイッチング素子３１、３２をオフ状態とする。この時、走査側ドライバＩＣ２２の電源線Ｌ１は書き込み電圧Ｖｒとなり、電源線Ｌ２はオフセット電圧Ｖｍとなっている。また、データ側ドライバＩＣ３４におけるＦＥＴ３５を全てオンにする。その結果、全ての走査電極１４はダイオード２７の作用によってオフセット電圧Ｖｍとなり、全てのデータ電極１５はＦＥＴ３５を通してオフセット電圧Ｖｍとなる。この状態では、全てのＥＬ素子１６の駆動電圧は０Ｖとなり発光しない。
【００３２】
その後、走査側ドライバＩＣ２２のうち走査電極１４（１）の駆動用ＦＥＴ２３をオンにし、走査電極１４（１）の電圧を書き込み電圧Ｖｒにする。この時、他の走査電極１４（２）〜１４（４）は、当該駆動用のＦＥＴ２３、２４を全てオフ状態に保持することによりフローティング状態とされている。
【００３３】
一方、図１において３個存在する各データ側ドライバＩＣ３４においては、表示データに基づいて、走査電極１４（１）上に位置する３行分のＥＬ素子１６（図１では１２個）のうち発光させるＥＬ素子のデータ電極に接続されたＦＥＴ３５をオフとし、ＦＥＴ３６をオンとする。また、発光させないＥＬ素子のデータ電極に接続されたＦＥＴ３５はオン状態のまま保持し、ＦＥＴ３６はオフ状態のまま保持する。データ側ドライバＩＣ３４へは、走査電極１４とデータ電極１５の配線パターンに応じたデータを送信する。
【００３４】
その結果、発光させるＥＬ素子は、そのデータ電極の電圧が接地電圧となり、電極間に発光しきい電圧Ｖthより高い電圧Ｖｒが印加されて発光する。また、発光させないＥＬ素子は、そのデータ電極の電圧がオフセット電圧Ｖｍとなり、電極間に発光しきい電圧Ｖthより低い電圧（Ｖｒ−Ｖｍ）が印加されるので発光しない。
【００３５】
その後、走査電極１４（１）の駆動用ＦＥＴ２３をオフにして走査電極１４（１）を一旦フローティング状態とした後、走査電極１４（１）の駆動用ＦＥＴ２４をオンすることにより、走査電極１４（１）上の全てのＥＬ素子１６（図１では１２個）を非発光とする。この場合、発光させたＥＬ素子のデータ電極に接続されたＦＥＴ３５、３６を、それぞれ所定の時間だけオフ状態、オン状態に維持する。その後、走査電極１４（２）〜１４（４）についても同様に駆動する。
【００３６】
正フィールド駆動が終了すると負フィールド駆動を行う。
負フィールド駆動の期間中、スイッチング素子３０、３３をオフ状態とし、スイッチング素子３１、３２をオン状態とする。この時、走査側ドライバＩＣ２２の電源線Ｌ１は接地電圧となり、電源線Ｌ２はオフセット電圧（−Ｖｒ＋Ｖｍ）となっている。また、データ側ドライバＩＣ３４におけるＦＥＴ３６を全てオンにする。その結果、全ての走査電極１４と全てのデータ電極１５は、接地電圧となる。この状態では、全てのＥＬ素子１６の駆動電圧は０Ｖとなり発光しない。
【００３７】
その後、走査側ドライバＩＣ２２のうち走査電極１４（１）の駆動用ＦＥＴ２４をオンにし、走査電極１４（１）の電圧を（−Ｖｒ＋Ｖｍ）にする。この時、他の走査電極１４（２）〜１４（４）は、当該駆動用のＦＥＴ２３、２４を全てオフ状態に保持することによりフローティング状態とされている。
【００３８】
一方、各データ側ドライバＩＣ３４においては、表示データに基づいて、走査電極１４（１）上に位置する３行分のＥＬ素子１６（図１では１２個）のうち発光させるＥＬ素子のデータ電極に接続されたＦＥＴ３５をオンとし、ＦＥＴ３６をオフとする。また、発光させないＥＬ素子のデータ電極に接続されたＦＥＴ３５はオフ状態のまま保持し、ＦＥＴ３６はオン状態のまま保持する。
【００３９】
その結果、発光させるＥＬ素子は、その電極間に絶対値が発光しきい電圧Ｖthを越える電圧−Ｖｒが印加されて発光する。また、発光させないＥＬ素子は、その電極間に絶対値が発光しきい電圧Ｖthより低い電圧（−Ｖｒ＋Ｖｍ）が印加されるので発光しない。その後、走査電極１４（１）の駆動用ＦＥＴ２４をオフにして走査電極１４（１）を一旦フローティング状態とした後、走査電極１４（１）の駆動用ＦＥＴ２３をオンすることにより、走査電極１４（１）上の全てのＥＬ素子１６（図１では１２個）を非発光とする。この場合、発光させたＥＬ素子のデータ電極に接続されたＦＥＴ３５、３６を、それぞれ所定の時間だけオン状態、オフ状態に維持する。その後、走査電極１４（２）〜１４（４）についても同様に駆動する。
【００４０】
本実施形態によれば、以下のような効果が得られる。
ＥＬ表示パネルの画素の行数をｎ、列数をｍとすれば、走査電極数すなわち走査電極１４を駆動する際に必要となる走査側駆動回路のチャンネル数はｎ／Ｎとなり、データ電極数すなわちデータ電極１５を駆動する際に必要となるデータ側駆動回路のチャンネル数はＮ×ｎとなる。図１に示すＥＬ表示装置１１と図５に示すＥＬ表示装置１には同じ１２×４の画素が示されているが、ＥＬ表示装置１１では走査電極１４が連続した３行分（Ｎ＝３）のＥＬ素子１６を同時に駆動するため、４チャンネルの駆動回路を内蔵する走査側ドライバＩＣ２２の数、データ側ドライバＩＣ３４の数は、ＥＬ表示装置１と比較して１／３倍（つまり１個）、３倍（つまり３個）となっている。
【００４１】
その結果、第１の効果として、走査電極数が１／Ｎになることにより１画面の走査速度（駆動周波数、走査周波数）を高められ、それにより発光輝度を高めることができる。ただし、走査電極１４が複数行（Ｎ行：Ｎ≧２）のＥＬ素子１６を駆動する本実施形態では、走査側駆動回路が駆動すべき容量もほぼＮ倍になるため、１画面の走査速度を高めても輝度の増加が図れない限界点が存在する。
【００４２】
第２の効果として、走査電極数が１／Ｎになることにより走査側ドライバＩＣ２２の数を減らすことができ、以ってＥＬ表示装置１１のコストを低減することができる。ＥＬ素子１６に対する書き込み電圧Ｖｒは２００Ｖ程度必要であり、この電圧は走査側ドライバＩＣ２２から出力されるようになっている。このため、走査側ドライバＩＣ２２は、データ側ドライバＩＣ３４よりも高い耐圧を必要とし、その分だけ部品コストも高いのが現状である。本実施形態によれば、走査側ドライバＩＣ２２のコストをほぼ１／Ｎに低減することができる。
【００４３】
ただし、走査電極数が１／Ｎ倍になる一方で、データ電極数すなわちデータ側駆動回路のチャンネル数はＮ倍になるため、同時駆動行数Ｎが大きいほどＥＬ表示装置１１のコストが下がることにはならない。また、走査電極１４の負荷の増大に対処するため、走査側ドライバＩＣ２２の駆動能力を高めると、コストが増大する。従って、同時駆動行数Ｎを増やしていくと、コストが最も低減する極小点が存在する。
【００４４】
これらを考慮すると、通常よく用いられる画素数（一例として６００×８００）および通常よく用いられる走査側ドライバＩＣ２２、データ側ドライバＩＣ３４のチャンネル数（一例として６０チャンネル、１６０チャンネル）の場合、走査電極１４が連続した２行分（Ｎ＝２）または３行分（Ｎ＝３）のＥＬ素子１６を同時に駆動する構成とすることが、輝度の向上およびコストの低減において最も効果的であると見込まれる。ただし、これは、現在汎用されているドライバＩＣのチャンネル数、駆動能力、コストの下で試算したものであって、これらの事情が変化すれば、効果的な同時駆動行数Ｎは４、５、…あるいは１０以上となる場合もあり得る。
【００４５】
データ電極１５は、隣接する走査電極１４上に形成されたＥＬ素子１６について、両走査電極１４の境界線を対称軸として、対称配置（すなわちミラー反転配置）の関係にあるＥＬ素子１６同士を順次接続するので、図１にも示されるように、データ電極１５を交差しないように平面的に形成することができる。また、こうしたデータ電極１５を採用すれば、ＥＬ表示パネル１２の一辺のみからデータ電極１５を取り出すことができるので、ＥＬ表示パネル１２の額縁面積を低減でき、その分ＥＬ表示パネル１２の大きさを縮小することができる。さらに、上下分割駆動方式とは異なり、データ電極１５は列方向の途中で分割されていないため、パネル中央部での輝度差の問題も生じない。
【００４６】
なお、本発明は上記し且つ図面に示す実施形態に限定されるものではなく、例えば以下のように変形または拡張が可能である。
本発明は、有機ＥＬ、無機ＥＬそれぞれのパッシブ型駆動装置およびアクティブ型駆動装置に適用可能である。
図４に示す積層構造において、第１電極をデータ電極１５とし、第２電極を走査電極１４としてもよい。
【００４７】
上記実施形態では、走査電極１４は全て３行分のＥＬ素子１６を同時に駆動する構成であったが、走査電極１４ごとに異なる行数のＥＬ素子１６を同時駆動する構成としてもよい。
データ電極１５を、ＥＬ表示パネル１２の複数の辺（例えば上辺と下辺）から取り出す構成としてもよい。
データ電極１５の接続部１５ｂは、配線幅が小さくなり抵抗が高くなるため、より高い輝度を得るために、データ電極１５を金属膜によりまたは金属膜と透明導電膜（ＩＴＯ膜）とにより構成してもよい。
【図面の簡単な説明】
【００４８】
【図１】本発明の一実施形態であって、ＥＬ表示パネルにおける走査電極とデータ電極の平面的な配置構造およびＥＬ表示装置の概略的な電気的構成を示す図
【図２】走査側ドライバＩＣと走査電圧供給回路の電気的構成を示す図
【図３】データ側ドライバＩＣの電気的構成を示す図
【図４】図１におけるＡ−Ａ断面の構造を模式的に示す図
【図５】従来技術を示す図１相当図
【符号の説明】
【００４９】
１１はＥＬ表示装置、１２はＥＬ表示パネル、１４、１４（１）、１４（２）、１４（３）、１４（４）は走査電極、１５、１５（１）、１５（２）、…、１５（１２）はデータ電極、１５ａは素子形成部、１５ｂは接続部、１６はＥＬ素子、１９は発光層（ＥＬ発光層）である。
【図１】
2005275263.tif 000003
【図２】
2005275263.tif 000004
【図３】
2005275263.tif 000005
【図４】
2005275263.tif 000006
【図５】
2005275263.tif 000007